(57)【要約】【課題】位相制御式調光器の出力電圧のＯＮ期間を短くした場合でも、ＬＥＤの点灯にチラツキが発生することを抑制できるＬＥＤ駆動回路を提供する。【解決手段】位相制御式調光器を介して交流電源に接続可能な整流回路と、スイッチング素子と、前記整流回路の出力電圧の位相角を検出し、検出された位相角に応じて前記スイッチング素子を制御してＬＥＤ負荷に流れる電流を制御するＬＥＤ電流制御回路と、前記整流回路の出力電圧に基づいて前記ＬＥＤ電流制御回路用の電源電圧を生成する電源電圧生成回路と、蓄電素子と、前記蓄電素子に電荷を供給する充電制御回路と、前記電源電圧生成回路により生成された電圧が所定の電圧より低くなる場合に、前記ＬＥＤ電流制御回路への電源電圧の供給を前記電源電圧生成回路からの供給より前記蓄電素子からの供給へ切り換える切り換え回路と、を備えるＬＥＤ駆動回路とする。【選択図】図１
2013251176.tif 000002
【特許請求の範囲】
【請求項１】
位相制御式調光器を介して交流電源に接続可能な整流回路と、
スイッチング素子と、
前記整流回路の出力電圧の位相角を検出し、検出された位相角に応じて前記スイッチング素子を制御してＬＥＤ負荷に流れる電流を制御するＬＥＤ電流制御回路と、
前記整流回路の出力電圧に基づいて前記ＬＥＤ電流制御回路用の電源電圧を生成する電源電圧生成回路と、
蓄電素子と、
前記蓄電素子に電荷を供給する充電制御回路と、
前記電源電圧生成回路により生成された電圧が所定の電圧より低くなる場合に、前記ＬＥＤ電流制御回路への電源電圧の供給を前記電源電圧生成回路からの供給より前記蓄電素子からの供給へ切り換える切り換え回路と、
を備えることを特徴とするＬＥＤ駆動回路。
【請求項２】
前記蓄電素子は、電池で構成されることを特徴とする請求項１に記載のＬＥＤ駆動回路。
【請求項３】
前記蓄電素子は、容量素子で構成されることを特徴とする請求項１に記載のＬＥＤ駆動回路。
【請求項４】
前記蓄電素子の出力電圧を前記所定の電圧に変換するレギュレータを備え、
前記蓄電素子の出力電圧が前記レギュレータを介して前記ＬＥＤ電流制御回路に印加されることで前記ＬＥＤ電流制御回路へ電源電圧が供給されることを特徴とする請求項１〜請求項３のいずれか１項に記載のＬＥＤ駆動回路。
【請求項５】
前記レギュレータの出力電圧は可変に設定されることを特徴とする請求項４に記載のＬＥＤ駆動回路。
【請求項６】
１次巻線及び２次巻線を有したトランスを備え、
前記電源電圧生成回路は、前記スイッチング素子のスイッチングにより前記１次巻線に流れる電流によって前記２次巻線に発生する電圧を平滑化して前記電源電圧を生成することを特徴とする請求項１〜請求項５のいずれか１項に記載のＬＥＤ駆動回路。
【請求項７】
前記電源電圧生成回路は、前記交流電源を投入した際に前記ＬＥＤ電流制御回路を起動する起動回路であることを特徴とする請求項１〜請求項５のいずれか１項に記載のＬＥＤ駆動回路。
【請求項８】
１次巻線、２次巻線、及び補助巻線を有したトランスを備え、前記１次巻線から前記２次巻線へ電力を伝送することにより前記ＬＥＤ負荷を駆動するＬＥＤ駆動回路であって、
前記電源電圧生成回路は、前記スイッチング素子のスイッチングにより前記１次巻線に流れる電流によって前記補助巻線に発生する電圧を平滑化して前記電源電圧を生成することを特徴とする請求項１〜請求項５のいずれか１項に記載のＬＥＤ駆動回路。
【請求項９】
請求項１〜請求項８のいずれか１項に記載のＬＥＤ駆動回路と、前記ＬＥＤ駆動回路の出力側に接続されるＬＥＤ負荷と、を備えたことを特徴とするＬＥＤ照明装置。
【発明の詳細な説明】
【技術分野】
【０００１】
本発明は、ＬＥＤ駆動回路に関する。
【背景技術】
【０００２】
ＬＥＤ（Light Emitting Diode）は低消費電流で長寿命などの特徴を有し、表示装置だけでなく照明器具等にもその用途が広がりつつある。なお、ＬＥＤ照明器具では、所望の照度を得るために、複数個のＬＥＤを使用する場合が多い。
【０００３】
一般的な照明器具は商用交流電源を使用することが多く、白熱電球などの一般的な照明灯具に代えてＬＥＤ照明灯具を使用する場合などを考慮すると、ＬＥＤ照明灯具も一般的な照明灯具と同様に商用交流電源を使用する構成であることが望ましい。
【０００４】
また、白熱電球を調光制御しようとした場合、スイッチング素子（一般的にはサイリスタ素子やトライアック素子）を交流電源電圧のある位相角でオンすることにより白熱電球への電源供給をボリューム素子一つで簡単に調光制御できる位相制御式調光器（一般に白熱ライコンと呼ばれている）が用いられている。
【先行技術文献】
【特許文献】
【０００５】
【特許文献１】特開平３−３２３５６号公報
【特許文献２】特開２０１１−２００１１７号公報
【発明の概要】
【発明が解決しようとする課題】
【０００６】
ＬＥＤ照明装置においても上記位相制御式調光器を用いて調光することが求められる。
【０００７】
ここで、商用交流電源を使用したＬＥＤ照明装置を調光制御することができるＬＥＤ照明システムの従来例を図９に示す。商用交流電源１の出力電圧Ｖ１は、位相制御式調光器２によって例えば図１１Ａの上段に示すように正弦波の一部がカットされる波形とされた後、全波整流用のダイオードブリッジＤＢ１に入力される。
【０００８】
全波整流によって例えば図１１Ａの下段に示すような波形となった電圧は、コイルＬ１とコンデンサＣ１から成るフィルタ、及び起動回路１１を介してＬＥＤ電流制御回路９に電源電圧として入力されると共に、位相角検出回路６にも入力され、ＬＥＤアレイ１２のアノードにも供給される。
【０００９】
ＬＥＤ電流制御回路９は起動すると、位相角検出結果を基にスイッチング素子８を駆動し、ＬＥＤアレイ１２に電流を流し点灯させる。
【００１０】
ここで、電源電圧生成回路１０は、トランスＴ１の２次巻線Ｎ２を備え、２次巻線Ｎ２で発生する電力に基づいてＬＥＤ電流制御回路９に適した電源電圧を生成する。なお、このような電源電圧の生成方法と類似した技術については例えば特許文献１に開示されている。
【００１１】
上記のようにＬＥＤ電流が流れるとトランスＴ１の２次巻線Ｎ２に電力が発生し、その電力に基づいて生成される電源電圧生成回路１０の出力電圧Ｖ４が切り換え回路３に入力され、切り換え回路３によって起動回路１１からの電源供給がカットされ、出力電圧Ｖ４がＬＥＤ電流制御回路９に電源電圧として印加される。
【００１２】
また、絶縁型のＬＥＤ照明システムの従来例を図１０に示す。商用交流電源１の出力電圧Ｖ１は、位相制御調光器２によって位相制御された後、ダイオードブリッジＤＢ１によって全波整流される。全波整流された電圧は、コイルＬ１とコンデンサＣ１から成るフィルタ、及び起動回路１１を介してＬＥＤ電流制御回路９に電源として入力されると共に、位相角検出回路６にも入力され、絶縁用のトランスＴ２の１次側にも供給される。
【００１３】
ＬＥＤ電流制御回路９は起動すると、位相角検出結果を基にスイッチング素子８を駆動し、トランスＴ２を介して１次側から２次側に電力を伝送し、ＬＥＤアレイ１２に電流を流し点灯させる。
【００１４】
１次電流が流れるとトランスＴ２の補助巻線１４に電力が発生し、その電力に基づいて生成される電源電圧生成回路１３の出力電圧Ｖ４が切り換え回路３に入力され、切り換え回路３によって起動回路１１からの電源供給がカットされ、出力電圧Ｖ４がＬＥＤ電流制御回路９に電源電圧として印加される。
【００１５】
このような図９及び図１０に示す従来例において、ＬＥＤアレイ１２の輝度を低輝度とする場合、位相制御式調光器２の出力電圧Ｖ２は、例えば図１１Ｂに示すように位相角の大きい、即ちＯＮ期間が短い波形となるため、電源電圧生成回路１０、１３の出力電圧Ｖ４が低下し、ＬＥＤ電流制御回路９の電源電圧が低下する。当該電源電圧が低下すると、ＬＥＤ電流制御回路９が正常に動作できなくなり、ＬＥＤアレイ１２の点灯にチラツキが発生する場合がある。
【００１６】
ここで、特許文献２には、トランスの第１の２次巻線に接続されてＬＥＤモジュールに直流電流を供給するための第１の整流平滑回路と、上記トランスの第２の２次巻線に接続された第２の整流平滑回路と、第２の整流平滑回路により電源供給されて上記ＬＥＤモジュールに供給される電流の大きさを調整する演算回路と、第２の整流平滑回路から上記演算回路への電源供給の不足を補うように第１の整流平滑回路から上記演算回路へ電源供給する電源供給回路を備えたスイッチング電源装置が開示されている。
【００１７】
しかしながら、上記特許文献２では、位相制御式調光器の出力電圧のＯＮ期間がゼロに近づけば、演算回路への電源供給は不足するという問題がある。
【００１８】
上記問題点に鑑み、本発明は、位相制御式調光器の出力電圧のＯＮ期間を短くした場合でも、ＬＥＤの点灯にチラツキが発生することを抑制できるＬＥＤ駆動回路を提供することを目的とする。
【課題を解決するための手段】
【００１９】
上記目的を達成するために本発明のＬＥＤ駆動回路は、
位相制御式調光器を介して交流電源に接続可能な整流回路と、
スイッチング素子と、
前記整流回路の出力電圧の位相角を検出し、検出された位相角に応じて前記スイッチング素子を制御してＬＥＤ負荷に流れる電流を制御するＬＥＤ電流制御回路と、
前記整流回路の出力電圧に基づいて前記ＬＥＤ電流制御回路用の電源電圧を生成する電源電圧生成回路と、
蓄電素子と、
前記蓄電素子に電荷を供給する充電制御回路と、
前記電源電圧生成回路により生成された電圧が所定の電圧より低くなる場合に、前記ＬＥＤ電流制御回路への電源電圧の供給を前記電源電圧生成回路からの供給より前記蓄電素子からの供給へ切り換える切り換え回路と、
を備える構成としている。
【００２０】
このような構成によれば、位相制御式調光器の出力電圧のＯＮ期間を短くした場合（即ち位相角が大きい場合）、電源電圧生成回路により生成された電圧が所定の電圧より低くなり、切り換え回路によってＬＥＤ電流制御回路への電源電圧の供給が電源電圧生成回路からの供給より蓄電素子からの供給へ切り換えられる。従って、ＬＥＤ電流制御回路の電源電圧が安定し、ＬＥＤ電流制御回路が正常に動作するので、低輝度で点灯するＬＥＤ負荷にチラツキが発生することを抑制できる。
【００２１】
また、上記構成において、前記蓄電素子は、電池又は容量素子で構成されることとしてもよい。
【００２２】
また、上記いずれかの構成において、
前記蓄電素子の出力電圧を前記所定の電圧に変換するレギュレータを備え、
前記蓄電素子の出力電圧が前記レギュレータを介して前記ＬＥＤ電流制御回路に印加されることで前記ＬＥＤ電流制御回路へ電源電圧が供給されることとしてもよい。
【００２３】
また、上記構成において、前記レギュレータの出力電圧は可変に設定されることとしてもよい。
【００２４】
また、上記いずれかの構成において、
１次巻線及び２次巻線を有したトランスを備え、
前記電源電圧生成回路は、前記スイッチング素子のスイッチングにより前記１次巻線に流れる電流によって前記２次巻線に発生する電圧を平滑化して前記電源電圧を生成することとしてもよい。
【００２５】
また、上記いずれかの構成において、前記電源電圧生成回路は、前記交流電源を投入した際に前記ＬＥＤ電流制御回路を起動する起動回路であることとしてもよい。
【００２６】
また、上記いずれかの構成において、
１次巻線、２次巻線、及び補助巻線を有したトランスを備え、前記１次巻線から前記２次巻線へ電力を伝送することにより前記ＬＥＤ負荷を駆動するＬＥＤ駆動回路であって、
前記電源電圧生成回路は、前記スイッチング素子のスイッチングにより前記１次巻線に流れる電流によって前記補助巻線に発生する電圧を平滑化して前記電源電圧を生成することとしてもよい。
【００２７】
また、本発明のＬＥＤ照明装置は、上記いずれかの構成のＬＥＤ駆動回路と、前記ＬＥＤ駆動回路の出力側に接続されるＬＥＤ負荷と、を備えた構成としている。
【発明の効果】
【００２８】
本発明によると、位相制御式調光器の出力電圧のＯＮ期間を短くした場合でも、ＬＥＤの点灯にチラツキが発生することを抑制できる。
【図面の簡単な説明】
【００２９】
【図１】本発明の第１実施形態に係るＬＥＤ照明システムの構成を示す図である。
【図２】本発明の第１実施形態に係る起動回路及び切り換え回路の一構成例を示す図である。
【図３】本発明の第１実施形態に係るＬＥＤ駆動回路における各部の信号波形例を示す図である。
【図４】本発明の第２実施形態に係るＬＥＤ照明システムの構成を示す図である。
【図５】本発明の第２実施形態に係る起動回路及び切り換え回路の一構成例を示す図である。
【図６Ａ】本発明の第２実施形態に係る起動回路の出力電圧の波形例を示す図である。
【図６Ｂ】本発明の第２実施形態に係る起動回路の出力電圧の波形例を示す図である。
【図７】本発明の第３実施形態に係るＬＥＤ照明システムの構成を示す図である。
【図８】本発明の第３実施形態に係るＬＥＤ駆動回路の各部の信号波形例を示す図である。
【図９】ＬＥＤ照明システムの従来例の構成を示す図である。
【図１０】ＬＥＤ照明システムの他の従来例の構成を示す図である。
【図１１Ａ】位相角が小さい場合の位相制御式調光器の出力電圧及びダイオードブリッジの出力電圧の波形例を示す図である。
【図１１Ｂ】位相角が大きい場合の位相制御式調光器の出力電圧及びダイオードブリッジの出力電圧の波形例を示す図である。
【発明を実施するための形態】
【００３０】
＜第１実施形態＞
以下に本発明の一実施形態について図面を参照して説明する。本発明の第１実施形態に係るＬＥＤ照明システムの構成を図１に示す。図１に示すＬＥＤ照明システムは、商用交流電源１に接続される位相制御式調光器２と、位相制御式調光器２の出力側に接続されるＬＥＤ駆動回路１００と、ＬＥＤ駆動回路１００の出力側に接続されて複数のＬＥＤが直列接続されてなるＬＥＤアレイ１２（ＬＥＤ負荷）から構成される。
【００３１】
なお、ＬＥＤ駆動回路１００とＬＥＤアレイ１２から構成されるＬＥＤ照明装置としては、例えば、ＬＥＤ電球、シーリングライト、直管型ライト等を挙げることができる。
【００３２】
ＬＥＤ駆動回路１００は、ダイオードブリッジＤＢ１と、コイルＬ１及びコンデンサＣ１から成るフィルタと、還流ダイオードＤ１と、コンデンサＣ３と、トランスＴ１と、電源電圧生成回路１０と、起動回路２１と、切り換え回路２２と、ＬＥＤ電流制御回路２８と、レギュレータ２９を備えている。
【００３３】
位相制御式調光器２は、例えば、半固定抵抗（不図示）の抵抗値を可変させることにより、抵抗値に依存した電源位相角でトライアック（不図示）をオンさせる。これにより、商用交流電源１の交流電圧Ｖ１の正弦波を或る位相角で切り欠いた波形の電圧Ｖ２が位相制御式調光器２から出力される。通常、半固定抵抗は回転つまみやスライド式になっており、つまみの回転角を変えたり、スライド位置を変えることにより、位相角を調整し、ＬＥＤの調光を可能としている。
【００３４】
ダイオードブリッジＤＢ１（整流回路）は、位相制御式調光器２から入力される電圧を全波整流し、全波整流された電圧Ｖ２’をコイルＬ１及びコンデンサＣ１から成るフィルタへ出力する。当該フィルタは、全波整流された電圧Ｖ２’の平滑化と、内部スイッチングノイズの入力側への漏れ防止、及び入力側からのノイズ防止を兼ねている。
【００３５】
上記フィルタの出力は、還流ダイオードＤ１のカソード、コンデンサＣ３の一端、及びＬＥＤアレイ１２のアノードに接続される。コンデンサＣ３の他端及びＬＥＤアレイ１２のカソードはトランスＴ１の１次巻線ｎ１の一端に共通接続される。１次巻線ｎ１の他端は、還流ダイオードＤ１のアノードとスイッチング素子２５に共通接続される。
【００３６】
ＬＥＤ電流制御回路２８は、位相角検出回路２３と、制御回路２４と、スイッチング素子２５を有している。上記フィルタの出力は、位相角検出回路２３の入力端にも接続される。位相角検出回路２３は、フィルタの出力に基づき、位相制御式調光器２による位相角を検出する。制御回路２４は、位相角検出結果に基づいてスイッチング素子２５を駆動制御し、ＬＥＤアレイ１２に流れる電流を制御する。
【００３７】
上記フィルタの出力は、起動回路２１の入力端にも接続される。起動回路２１は、フィルタの出力に基づき、ＬＥＤ電流制御回路２８の起動用の電源電圧を生成する。
【００３８】
電源電圧生成回路１０は、トランスＴ１の２次巻線ｎ２と、ダイオードＤ２と、コンデンサＣ２を有している。２次巻線ｎ２で発生する電圧をダイオードＤ２及びコンデンサＣ２で平滑することにより、ＬＥＤ電流制御回路２８用の電源電圧である出力電圧Ｖ４を生成する。
【００３９】
ＬＥＤ電流制御回路２８は、蓄電素子２７と、蓄電素子２７に充電する制御を行う充電制御回路２６も備えている。レギュレータ２９は、蓄電素子２７の出力電圧を一定の電圧に変換して出力する。蓄電素子２７としては、電池で構成してもよいし、大容量の容量素子で構成してもよい。また、レギュレータ２９は、リニアレギュレータであってもよいし、スイッチングレギュレータであってもよい。
【００４０】
切り換え回路２２は、起動回路２１の出力電圧、電源電圧生成回路１０の出力電圧、及びレギュレータ２９の出力電圧のＬＥＤ電流制御回路２８への印加を切り換える回路である。
【００４１】
起動回路２１及び切り換え回路２２の一構成例を図２に示す。図２に示す起動回路２１は、上記フィルタの出力に一端が接続される抵抗Ｒ２１と、抵抗Ｒ２１の他端とカソードが接続されてアノードは接地されるツェナーダイオードＺ２１と、ベースが抵抗Ｒ２１とツェナーダイオードＺ２１の接続点に接続され、コレクタが抵抗Ｒ２１の上記フィルタ側の一端に接続され、エミッタがＬＥＤ電流制御回路２８の電源入力端に接続されるトランジスタＴｒ２１を備えている。
【００４２】
また、切り換え回路２２は、トランジスタＴｒ２１と、アノードがレギュレータ２９の出力に接続されてカソードがＬＥＤ電流制御回路２８の電源入力端に接続されるダイオードＤ２２を有する回路である。
【００４３】
次に、上記のような図１及び図２に示すＬＥＤ駆動回路１００の動作について説明する。
【００４４】
商用交流電源１を投入すると、位相制御式調光器２により位相制御され、ダイオードブリッジＤＢ１により全波整流され、フィルタにより平滑化された電圧が起動回路２１に入力される。すると、トランジスタＴｒ２１はオンとなり、ツェナーダイオードＺ２１のツェナー電圧からベース−エミッタ間電圧だけ降下した電圧がＬＥＤ電流制御回路２８の電源入力端に印加される。
【００４５】
これにより、位相角検出回路２３、制御回路２４、スイッチング素子２５、及び充電制御回路２６が動作を開始する。位相角検出回路２３は、フィルタの出力に基づき、位相制御式調光器２による位相角、即ち位相制御式調光器２の出力電圧のＯＮ期間を検出し、検出結果を制御回路２４に送る。
【００４６】
制御回路２４は、位相角検出結果に基づいてスイッチング素子２５を駆動制御し、ＬＥＤアレイ１２に電流が流れ始める。このとき、トランスＴ１の１次巻線ｎ１に流れる電流により、２次巻線ｎ２に電圧が発生する。２次巻線ｎ２に発生した電圧は、ダイオードＤ２及びコンデンサＣ２により平滑化され、出力電圧Ｖ４として切り換え回路２２に出力される。
【００４７】
起動電圧以上の出力電圧Ｖ４が切り換え回路２２に出力されると、トランジスタＴｒ２１のエミッタ電位が上昇し、トランジスタＴｒ２１がオフとなる。これにより、ＬＥＤ電流制御回路２８へ印加される電源電圧が起動電圧から出力電圧Ｖ４に切り換わる。この電源電圧に基づいて充電制御回路２６は、蓄電素子２７に電荷を供給して蓄積させる。
【００４８】
ここで、位相角の大小での比較で、ダイオードブリッジＤＢ１の出力電圧、ＬＥＤ電流、２次巻線ｎ２に流れる電流、及び出力電圧Ｖ４の各波形例を図３に示す。このように位相制御式調光器２における設定により位相角を大きくする、即ちＯＮ期間を短くすると（図３の右側）、出力電圧Ｖ４は低下する。
【００４９】
蓄電素子２７の出力電圧はレギュレータ２９を介して切り換え回路２２に入力される。出力電圧Ｖ４がレギュレータ２９の出力電圧に対して高くなれば、ダイオードＤ２２はオフであるので、出力電圧Ｖ４がＬＥＤ電流制御回路２８に印加される。
【００５０】
一方、出力電圧Ｖ４がレギュレータ２９の出力電圧に対して低くなれば、ダイオードＤ２２がオンとなるので、出力電圧Ｖ４から切り換わってレギュレータ２９の出力電圧がダイオードＤ２２を介してＬＥＤ電流制御回路２８に印加される。
【００５１】
これにより、位相制御式調光器２の出力電圧の位相角が大きい、即ちＯＮ期間が短い場合に、低下した出力電圧Ｖ４がレギュレータ２９の出力電圧に対して低くなるので、ダイオードＤ２２がオンとなり、蓄電素子２７の出力電圧がレギュレータ２９を介してＬＥＤ電流制御回路２８に印加される。従って、ＬＥＤ電流制御回路２８の電源電圧が安定し、ＬＥＤ電流制御回路２８は正常に動作するため、低輝度でのＬＥＤアレイ１２の点灯にチラツキが発生することを抑制できる。
【００５２】
なお、レギュレータ２９の出力電圧は可変に設定できるようにし、出力電圧Ｖ４との切り換え閾値を調整できるようにしてもよい。これによれば、ＬＥＤ電流制御回路２８が安定して動作できる電源電圧がばらつく場合でも対応が可能となる。レギュレータ２９の可変設定は、スイッチやボリューム等により行えばよい。また、エンドユーザが設定できるようにしてもよいし、製品の生産工程で初期設定するものでもよい。
【００５３】
＜第２実施形態＞
次に、本発明の第２実施形態に係るＬＥＤ照明システムの構成を図４に示す。
【００５４】
図４に示すＬＥＤ照明システムの一部であるＬＥＤ駆動回路２００は、上記第１実施形態との構成の相違点として、トランスＴ１の代わりにコイルＬ３１とし、電源電圧生成回路１０を設けないこととしている。切り換え回路３１は、起動回路２１の出力電圧とレギュレータ２９の出力電圧のＬＥＤ電流制御回路２８への印加を切り換える回路である。
【００５５】
起動回路２１と切り換え回路３１の一構成例を図５に示す。起動回路２１の構成は上記図２と同様であるが、切り換え回路３１はダイオードＤ３１のみから構成される。
【００５６】
位相制御式調光器２による位相角が小さい、即ちＯＮ期間が長い場合、図４に示すコイルＬ１とコンデンサＣ１から成るフィルタの出力電圧Ｖ３が大きくなる。この出力電圧Ｖ３は起動回路２１に入力されるがツェナーダイオードＺ２１（図５）のツェナー電圧Ｖｚより高くなるので、この場合、ツェナー電圧ＶｚからトランジスタＴｒ２１のベース−エミッタ間電圧Ｖｂｅだけ降下した電圧が起動回路２１の出力電圧Ｖ５となる（図６Ａ参照）。出力電圧Ｖ５はレギュレータ２９の出力電圧より高いので、ダイオードＤ３１はオフとなり、出力電圧Ｖ５がＬＥＤ電流制御回路２８に電源電圧として印加される。
【００５７】
そして、位相制御式調光器２による位相角を大きく、即ちＯＮ期間を短くした場合、上記フィルタの出力電圧Ｖ３がツェナー電圧Ｖｚより小さくなる。この場合、出力電圧Ｖ３からベース−エミッタ間電圧Ｖｂｅだけ降下した電圧が起動回路２１の出力電圧Ｖ５となり、出力電圧Ｖ３が低くなる程、出力電圧Ｖ５も低くなる（図６Ｂ参照）。
【００５８】
この場合、出力電圧Ｖ５はレギュレータ２９の出力電圧に対して低くなるので、ダイオードＤ３１はオンとなり、出力電圧Ｖ５から切り換わってレギュレータ２９の出力電圧がダイオードＤ３１を介してＬＥＤ電流制御回路２８に印加される。
【００５９】
従って、ＬＥＤ電流制御回路２８の電源電圧が安定し、ＬＥＤ電流制御回路２８は正常に動作するため、低輝度でのＬＥＤアレイ１２の点灯にチラツキが発生することを抑制できる。
【００６０】
＜第３実施形態＞
本発明の第３実施形態に係る絶縁型のＬＥＤ照明システムの構成を図７に示す。図７に示すＬＥＤ照明システムの一部であるＬＥＤ駆動回路３００は、図１に示す第１実施形態との構成の相違点として、絶縁用のトランスＴ２を設けており、１次巻線ｎ３から２次巻線ｎ４へ電力を伝送することによりＬＥＤアレイ１２に電流を流して点灯させる。
【００６１】
また、第１実施形態との相違点として、トランスＴ２の補助巻線ｎ５に発生する電圧をダイオードＤ２及びコンデンサＣ２により平滑化した電圧を電源電圧生成回路１３の出力電圧Ｖ４として出力する構成としている。
【００６２】
切り換え回路２２は、起動回路２１の出力電圧、電源電圧生成回路１３の出力電圧Ｖ４、及びレギュレータ２９の出力電圧のＬＥＤ電流制御回路２８への印加を切り換える回路である。なお、起動回路２１及び切り換え回路２２の一構成例としては、図２と同様の構成とすればよい。
【００６３】
ＬＥＤ駆動回路３００の動作を説明すれば、商用交流電源１を投入すると、コイルＬ１及びコンデンサＣ１から成るフィルタの出力電圧Ｖ３が起動回路２１に入力され、起動回路２１の出力電圧がＬＥＤ電流制御回路２８に電源電圧として印加される。これにより、位相角検出回路２３、制御回路２４、スイッチング素子２５、及び充電制御回路２６が動作を開始する。
【００６４】
スイッチング素子２５の駆動によりトランスＴ２の１次巻線ｎ３に１次電流が流れると、補助巻線ｎ５に電圧が発生し、発生した電圧に基づいた出力電圧Ｖ４が生成される。すると、切り換え回路２２により起動回路２１が切り離されて出力電圧Ｖ４がＬＥＤ電流制御回路２８に電源電圧として印加される。この電源電圧に基づいて充電制御回路２６は、蓄電素子２７に電荷を供給して蓄積させる。
【００６５】
ここで、位相角の大小での比較で、ダイオードブリッジＤＢ１の出力電圧、１次電流、２次電流、補助巻線ｎ５に流れる電流及び出力電圧Ｖ４の各波形例を図８に示す。このように位相制御式調光器２における操作により位相角を大きくする、即ちＯＮ期間を短くすると（図８の右側）、出力電圧Ｖ４は低下する。
【００６６】
蓄電素子２７の出力電圧はレギュレータ２９を介して切り換え回路２２に入力される。出力電圧Ｖ４がレギュレータ２９の出力電圧に対して高くなれば、切り換え回路２２によって出力電圧Ｖ４がＬＥＤ電流制御回路２８に印加される。
【００６７】
一方、出力電圧Ｖ４がレギュレータ２９の出力電圧に対して低くなれば、切り換え回路２２によって出力電圧Ｖ４から切り換わってレギュレータ２９の出力電圧が切り換え回路２２を介してＬＥＤ電流制御回路２８に印加される。
【００６８】
これにより、位相制御式調光器２の出力電圧の位相角が大きい、即ちＯＮ期間が短い場合に、低下した出力電圧Ｖ４がレギュレータ２９の出力電圧に対して低くなるので、蓄電素子２７の出力電圧がレギュレータ２９を介してＬＥＤ電流制御回路２８に印加される。従って、ＬＥＤ電流制御回路２８の電源電圧が安定し、ＬＥＤ電流制御回路２８は正常に動作するため、低輝度でのＬＥＤアレイ１２の点灯にチラツキが発生することを抑制できる。
【００６９】
以上、本発明の実施形態について説明したが、本発明の趣旨の範囲内であれば、実施形態は種々の変形が可能である。
【符号の説明】
【００７０】
１  商用交流電源
２  位相制御式調光器
１０  電源電圧生成回路
１２  ＬＥＤアレイ
２１  起動回路
２２、３１  切り換え回路
２３  位相角検出回路
２４  制御回路
２５  スイッチング素子
２６  充電制御回路
２７  蓄電素子
２８  ＬＥＤ電流制御回路
２９  レギュレータ
１００、２００、３００  ＬＥＤ駆動回路
ＤＢ１  ダイオードブリッジ
Ｌ１  コイル
Ｃ１  コンデンサ
Ｔ１、Ｔ２  トランス
ｎ１、ｎ３  １次巻線
ｎ２、ｎ４  ２次巻線
ｎ５  補助巻線
Ｄ２  ダイオード
Ｃ２  コンデンサ
Ｚ２１  ツェナーダイオード
Ｔｒ２１  トランジスタ
Ｒ２１  抵抗
Ｄ２２、Ｄ３１  ダイオード
【図１】
2013251176.tif 000003
【図２】
2013251176.tif 000004
【図３】
2013251176.tif 000005
【図４】
2013251176.tif 000006
【図５】
2013251176.tif 000007
【図６Ａ】
2013251176.tif 000008
【図６Ｂ】
2013251176.tif 000009
【図７】
2013251176.tif 000010
【図８】
2013251176.tif 000011
【図９】
2013251176.tif 000012
【図１０】
2013251176.tif 000013
【図１１Ａ】
2013251176.tif 000014
【図１１Ｂ】
2013251176.tif 000015